【手続補正書】
【提出日】平成17年1月11日(2005.1.11)
【手続補正１】
【補正対象書類名】明細書
【補正対象項目名】特許請求の範囲
【補正方法】変更
【補正の内容】
【特許請求の範囲】
【請求項１】
分散媒とこの分散媒中に分散する電気泳動粒子とを含む電気泳動層を備えてなる電気泳動装置において、前記分散媒は、互いに極性の大きさが異なる複数の物質の混合物であり、前記混合物が少なくとも異なるふたつの融点を有することを特徴とする電気泳動装置。
【請求項２】
前記複数の物質のうちの少なくとも１つは、常温で非流動性の物質となり且つ非常温で流動性の物質となる性質を有していることを特徴とする請求項１記載の電気泳動装置。
【請求項３】
前記複数の物質の屈折率が互いに異なることを特徴とする請求項１又は２に記載の電気泳動装置。
【請求項４】
前記分散媒は、ヘキサデシルアルコール、オクタデシルアルコール等の長鎖アルコール類、フェノール、クレゾール等のフェノール類、ベンゾフェノン、ベンズアルデヒド等の芳香族ケトン類、デカン類、及びドデカン酸より選択された少なくとも一種類の物質と、パラフィン或いはロウ類、またこれらを主成分とするワックス、及び飽和炭化水素より選択された少なくとも一種類の物質との混合物であることを特徴とする請求項１乃至３の何れかに記載の電気泳動装置。
【請求項５】
前記分散媒は、前記電気泳動粒子に吸着する分散剤を含むことを特徴とする請求項１乃至請求項４の何れかに記載の電気泳動装置。
【請求項６】
前記電気泳動粒子が分散された分散媒は、隔壁で仕切られた領域内に封入されていることを特徴とする請求項１乃至請求項５の何れかに記載の電気泳動装置。
【請求項７】
前記電気泳動粒子が分散された分散媒は、マイクロカプセルに包含されていることを特徴とする請求項１乃至請求項５の何れかに記載の電気泳動装置。
【請求項８】
前記マイクロカプセルは、均一な厚さであり且つ偏平に配置されていることを特徴とする請求項７記載の電気泳動装置。
【請求項９】
前記分散媒を昇温するための昇温手段を備えることを特徴とする請求項３乃至請求項８の何れかに記載の電気泳動装置。
【請求項１０】
前記分散媒を冷却するための冷却手段を備えることを特徴とする請求項３乃至請求項９の何れかに記載の電気泳動装置。
【請求項１１】
前記電気泳動層が非常温にある状態で、前記電極に電位を印加するようになっていることを特徴とする請求項３乃至請求項１０の何れかに記載の電気泳動装置。
【請求項１２】
分散媒とこの分散媒中に分散する電気泳動粒子とを含む電気泳動層を備えてなる電気泳動装置の駆動方法において、
前記分散媒を、複数の物質の混合物であり、且つ前記電気泳動層において電気泳動動作を行う泳動動作温度では流動性を有し前記泳動動作温度よりも低い温度では光学的に不透明な固体となる混合物で形成し、
前記電気泳動層の温度を前記泳動動作温度にした状態で電位を印加するようにしたことを特徴とする電気泳動装置の駆動方法。
【請求項１３】
表示体と、当該表示体に駆動信号を供給する駆動回路とを備えてなる電子機器において、前記表示体として前記請求項１乃至請求項１１の何れかに記載の電気泳動装置を備えたことを特徴とする電子機器。
【手続補正２】
【補正対象書類名】明細書
【補正対象項目名】０００５
【補正方法】変更
【補正の内容】
【０００５】
【課題を解決するための手段】
上記目的を達成するために、本発明の電気泳動装置は、分散媒とこの分散媒中に分散する電気泳動粒子とを含む電気泳動層を備えてなる電気泳動装置において、前記分散媒は、互いに極性の大きさが異なる複数の物質の混合物であり、前記混合物が少なくとも異なるふたつの融点を有することを特徴としている。
【手続補正３】
【補正対象書類名】明細書
【補正対象項目名】０００６
【補正方法】変更
【補正の内容】
【０００６】
上記電気泳動装置は、電極に印加される電位に応じて前記電気泳動粒子の位置が制御される電気泳動装置であり、分散媒とこの分散媒中に分散する電気泳動粒子とを含む電気泳動層が一対の電極間に配置されたものであってもよい。ここで、上記の電気泳動装置において、前記複数の物質のうちの少なくとも１つは、常温で非流動性の物質となり且つ非常温で流動性の物質となる性質を有していることが好ましい。
【手続補正４】
【補正対象書類名】明細書
【補正対象項目名】０００８
【補正方法】変更
【補正の内容】
【０００８】
また、上記の電気泳動装置において、前記分散媒は、前記電気泳動粒子に吸着する分散剤を含んでいてもよい。また、上記の電気泳動装置において、前記電気泳動粒子が分散された分散媒は、隔壁で仕切られた領域内に封入された構成を有していてもよい。
【手続補正５】
【補正対象書類名】明細書
【補正対象項目名】０００９
【補正方法】変更
【補正の内容】
【０００９】
また、上記の電気泳動装置において、前記電気泳動粒子が分散された分散媒は、マイクロカプセルに包含された構成を有していてもよく、この場合、前記マイクロカプセルは、均一な厚さであり且つ偏平に配置されていることが好ましい。
また、上記の電気泳動装置において、前記分散媒を昇温するための昇温手段を備えることが好ましい。
【手続補正６】
【補正対象書類名】明細書
【補正対象項目名】００１０
【補正方法】変更
【補正の内容】
【００１０】
また、上記の電気泳動装置において、前記分散媒を冷却するための冷却手段を備えていてもよい。また、上記の電気泳動装置において、前記電気泳動層が非常温にある状態で、前記電極に電位を印加するようになっていることが好ましい。
また、本発明の電気泳動装置の駆動方法は、分散媒とこの分散媒中に分散する電気泳動粒子とを含む電気泳動層を備えてなる電気泳動装置の駆動方法において、前記分散媒を、複数の物質の混合物であり、且つ前記電気泳動層において電気泳動動作を行う泳動動作温度では流動性を有し前記泳動動作温度よりも低い温度では光学的に不透明な固体となる混合物で形成し、前記電気泳動層の温度を前記泳動動作温度にした状態で電位を印加するようにしたことを特徴としている。
【手続補正７】
【補正対象書類名】明細書
【補正対象項目名】００１１
【補正方法】削除
【補正の内容】
【手続補正８】
【補正対象書類名】明細書
【補正対象項目名】００１２
【補正方法】変更
【補正の内容】
【００１２】
上記の電気泳動装置及び電気泳動装置の駆動方法においては、分散媒として互いに極性の大きさが異なる複数の物質の混合物が用いられ、且つこの混合物は少なくとも異なるふたつの融点を有している。混合物が異なる融点を有する場合、ふたつの融点のうち温度の高い方の融点以上の温度では均一な液体となるが、ふたつの融点のうち温度が低い方の融点以下の温度においては、二つの固体相が共存する混合物となり、異なる２種類の固体相が接触する境界面積が極めて大きいことから、光の散乱強度が大きく、人間の目には白色強度の高い固体相として映ることになる。このため、例えば、観測側からみて向こう側に電気泳動粒子が位置する場合等であっても、観測側からは電気泳動粒子を視認することが困難となる。よって、電気泳動粒子と分散媒とのコントラストを確保することが可能となり視認性を向上させることが可能となる。
【手続補正９】
【補正対象書類名】明細書
【補正対象項目名】００１５
【補正方法】変更
【補正の内容】
【００１５】
また、分散媒を、屈折率が互いに異なる複数の物質で構成することによって、光散乱強度がより増加し、屈折率の差が大きいほど視認性及びコントラスト特性を向上させることが可能となる。
また、分散媒中に、電気泳動粒子に吸着する分散剤を混合することによって、電気泳動粒子の分散媒中での分散性を向上させることが可能となり、また、電気泳動粒子の自発するゼータ電位を増大させることができ、電圧を印加した際の電気泳動粒子の泳動速度を増大させ、その結果、応答速度を迅速にすることが可能となる。
【手続補正１０】
【補正対象書類名】明細書
【補正対象項目名】００５８
【補正方法】変更
【補正の内容】
【００５８】
以上説明したように、本発明によれば、電気泳動粒子を分散する分散媒として、互いに極性の大きさが異なる複数の物質の混合物を用いるようにしたから、観測側からみて向こう側に電気泳動粒子がある場合の電気泳動粒子の透過度合を低減させることができ、視認性及びコントラスト特性をより向上させることができる。
【手続補正１１】
【補正対象書類名】明細書
【補正対象項目名】００６０
【補正方法】変更
【補正の内容】
【００６０】
また、電気泳動分散液中に、電気泳動粒子に吸着する分散剤を混合することによって、電気泳動粒子の分散溶液中での分散性を向上させることができ、且つ、電圧を印加した際の電気泳動粒子の泳動速度を増大させて表示速度を迅速にすることができる。